(57)【特許請求の範囲】
【請求項１】
配水管と給水管の間に設けられており、弁体を弁棒に沿って降下させて弁座に着座させることにより配水管と給水管の間を仕切る仕切弁において、
前記弁座を備えて前記配水管とは別部材として設けられており、前記配水管に固定された該弁座部材と、
該弁座部材と対向配置され、その弁座部材の間に前記弁体が嵌まり込むガイド部材と、
該ガイド部材と前記弁座部材の間が前記弁体の仕切方向において徐々に狭くなるとともに、前記弁体が仕切方向に向かって楔状に形成されていることを特徴とする仕切弁。
【請求項２】
請求項１に記載の仕切弁において、前記ガイド部材は前記弁体の仕切方向とほぼ平行であり、前記弁座部材が前記弁体の仕切方向に向かって前記ガイド部材との間隔が徐々に狭くなる方向に傾斜していることを特徴とする仕切弁。
【請求項３】
請求項１または２に記載の仕切弁において、前記弁体の前記弁座に着座する面に弾性部材の層が設けられていることを特徴とする仕切弁。
【請求項４】
配水管と給水管の間を仕切る仕切弁に備えた仕切弁ユニットにおいて、
１つの給水管に対してそれぞれ液体が圧送される２つの配水管が設けられ、各配水管と前記給水管と間にそれぞれ請求項１ないし３の何れかに記載の仕切弁が装備されていることを特徴とする仕切弁ユニット。
【発明の詳細な説明】
【０００１】
【発明の属する技術分野】
本発明は、配水管と給水管の間に設けられており、弁体を弁棒に沿って降下させて弁座に着座させることにより配水管と給水管の間を仕切る仕切弁及び仕切弁ユニットに関するものである。
【０００２】
【従来の技術】
従来、マンションやビル等の給水は水道水を一旦水槽に貯め、これをポンプで最上階以上の高さまで揚水し、各戸に給水する方式を採用している。かかる給水方式においては、ポンプの手前に仕切弁が配設され、ポンプを停止したときに配水管を遮断し、水の逆流等を防止するように構成している。このような水槽に一旦貯えてから給水する方式では、水槽内にゴミ等が入ったりして、衛生面等に問題があり、近年のマンションやビル等の給水に水道管から直結各戸に給水する直結給水方式が望まれている。この直結給水方式においても最上階で所望の水圧を得るため、ポンプを用いて加圧しており、このポンプ停止時には配水管を遮断するための仕切弁が不可欠である。
【０００３】
従来の仕切弁は、その一例を図５に示すように、断面楔状に形成された弁体５０を、配水管５１に形成された弁座５２に当接させるように構成されている。この場合、配水管５１は円形であり、それを塞ぐ弁体５０も円形に形成されている。また、弁体５０は背中合わせに２個設けられており、開状態から弁体５０を下げると、両弁座に嵌まり込んで通路を遮断する。この仕切弁は、通常鉄の鋳物で作られており、このため経時使用で錆が出てしまい、水道水が赤く濁るという問題を起こしていた。この錆の問題を解消するため、仕切弁をステンレス鋳物で作ることが提案されている。
【０００４】
【発明が解決しようとする課題】
しかしながら、仕切弁は弁体５０を弁座５２に確実に着座させるために、弁座５２にある程度の幅を必要としており、従って弁座５２となる配水管５１の肉厚も厚くしている。このため、仕切弁をステンレス鋳物で作ると、大量のステンレス材を使用しなければならず、材料費等の製作コストが嵩むという問題があった。
【０００５】
本発明の目的は、上記した従来の不具合を解消し、仕切弁をステンレスで作っても安価な仕切弁を提供することにある。また、本発明の他の目的は直結給水のための新規な仕切弁ユニットを提供することにある。
【０００６】
【課題を解決するための手段】
上記目的を達成するために本発明は、配水管と給水管の間に設けられており、弁体を弁棒に沿って降下させて弁座に着座させることにより配水管と給水管の間を仕切る仕切弁において、前記弁座を備えて前記配水管とは別部材として設けられており、前記配水管に固定された該弁座部材と、該弁座部材と対向配置され、その弁座部材の間に前記弁体が嵌まり込むガイド部材と、該ガイド部材と前記弁座部材の間が前記弁体の仕切方向において徐々に狭くなるとともに、前記弁体が仕切方向に向かって楔状に形成されていることを特徴としている。
【０００７】
なお、本発明は、前記ガイド部材は前記弁体の仕切方向とほぼ平行であり、前記弁座部材が前記弁体の仕切方向に向かって前記ガイド部材との間隔が徐々に狭くなる方向に傾斜していると、効果的である。
【０００８】
さらに、本発明は前記弁体の前記弁座に着座する面に弾性部材の層が設けられていると、効果的である。
上記目的を達成するために本発明は、配水管と給水管の間を仕切る仕切弁に備えた仕切弁ユニットにおいて、１つの給水管に対してそれぞれ液体が圧送される２つの配水管が設けられ、各配水管と前記給水管と間にそれぞれ請求項１ないし３の何れかに記載の仕切弁が装備されていることを特徴としている。
【０００９】
【実施例】
以下、本発明の実施例に添付図面に従って説明する。
図１は、本発明に係る仕切弁及び仕切弁ユニットの一実施例を示す正面断面図、図２はその側面断面図である。
【００１０】
図１及び図２において、符号１，１’はそれぞれ別のポンプ（図示せず）によって矢印方向から水が搬送される配水管であり、これらの配水管１，１’に対し、図２に明示するように、９０°に折れた給水管２が設けられている。この配水管１，１’には仕切弁３，３’が設けられており、仕切弁３，３’は左右対称であるが、構造は同一なので仕切弁３について説明する。なお、配水管１，１’、給水管２、仕切弁３，３’は概ねステンレスから作られている。
【００１１】
配水管１には、図１及び図３に示すように、その管内に弁座４を備えた弁座部材５が設けられ、本例では弁座部材５が溶接によって配水管１内に固定されている。この弁座部材５は、円筒状に形成され、後述する弁体１０の対向面が下方向へ向かう程右方となる傾斜面に形成されている。この傾斜面には、開口６が形成されており、開口６の回りが弁座４である。また、配水管１の管内には弁座部材５の傾斜面に対向して開口８を有するガイド部材７が同じく溶接で固定され、ガイド部材７にはその両側部に弁座部材５へ延びるサイドガイド９が一体に設けられている。これら弁座部材５及びガイド部材７は、配水管１と別部材で、後から配水管１内に固定するものであるから、数ミリメートルのステンレス板材をプレス加工することによって作ることができる。
【００１２】
また、弁体１０は図１及び図４に示すように、弁座部材５及びガイド部材７の間に入り込むように楔状に形成され、弁棒１１に螺合されている。弁棒１１は、弁蓋１２に回転自在に装着され、その上端にハンドル１３が取り付けられている。この弁棒１１は、回転してもそれ自体が上下動せず、弁座部材５及びガイド部材７によって回転が阻止される弁体１０が弁棒１１に沿って上下動され、弁体１０が実線で示す配水管１を遮断する位置と、鎖線で示す配水管１を開放する位置との間を動かされる。
【００１３】
弁体１０には、弁座４の対向面に膜状に形成された弾性部材としてのゴム板材１４が貼着されており、このゴム板材１４によって弁体１０が気密性を持って弁座４に着座される。また、このゴム板材１４を設けたことにより、弁座部材５の取り付け位置に若干の誤差が生じてもこれを許容する用もなしている。さらに、ゴム板材１４を設けたことにより、仕切弁３の弁座４が圧力等で多少変形しても馴染ませることができる。
【００１４】
なお、符号１５はチェッキ弁であり、仕切弁３は急速開閉できず、その間に水が逆流することを防止する。また、１６は給水管２へ流れる水の量を計る流量計（図示せず）を配設するためのパイプである。
【００１５】
このように構成された仕切弁３は、弁座部材５及びガイド部材７がステンレス材をプレス加工することによって作ることができるので、ステンレス材の材料費が少なくなりステンレスの仕切弁を安価で提供することができる。しかも、弁座部材５の弁座４は弁体１０との当接面積を大きく取ることができ、配水管１を確実に遮断することができる。さらに、仕切弁３は弁体１０及び弁座４が高精度を要求され、弁座部材５をプレス加工で作った場合、弁座部材５の取り付け誤差問題になるが、弁体１０の弁座４の対向面にゴム板材１４を貼着したので、僅かな誤差であればこれを許容することができる。
【００１６】
次に、図１に示す実施例において直結給水方式に最適な仕切弁ユニットについて説明をする。
配水管１，１’は、それぞれ別のポンプによって矢印方向から水が搬送され、仕切弁３，３’を介して給水管２へ送られる。従って、１つの給水管２に対し別々のポンプで水が圧送される配水管１，１’に仕切弁３，３’を設けたので、一方のポンプが故障したり、メンテナンスを行う場合でも給水を停止させずに済む。
【００１７】
【発明の効果】
請求項１の構成によれば、弁座を備えた弁座部材が配水管とは別部材として設けられ、該弁座部材が配水管に固定するので、弁座部材をステンレス材のプレス加工により作ることができるのでき、ステンレス材の材料費が少なくなるため、安価なステンレスの仕切弁を提供することができる。さらに、弁座部材とガイド部材の間は楔状の弁体が嵌り込むので、弁体を弁座に確実に着座させられる。
【００１８】
請求項２の構成によれば、弁座面が弁体の仕切方向に対して斜面に形成されているので、弁体を弁座に対して確実に着座することができる。
【００１９】
請求項３の構成によれば、弁体の弁座に着座する面に弾性部材の層が設けられているので、弁座部材の僅かな取り付け誤差を許容することができる。
請求項４の構成によれば、１つの給水管に対してそれぞれ液体が圧送される２つの配水管が設けられ、各配水管と給水管と間にそれぞれ仕切弁が装備されているので、一方のポンプが故障したり、メンテナンスを行う場合でも給水を停止させることを防止することができる。
【図面の簡単な説明】
【図１】本発明に係る仕切弁及び仕切弁ユニットの一実施例を示す側面断面図である。
【図２】図１の正面断面図である。
【図３】図１の実施例の弁座部材及びガイド部材を示す側面図である。
【図４】図１の実施例の弁体を示す正面図である。
【図５】従来の仕切弁を示す断面図である。
【符号の説明】
１，１’    配水管
２      給水管
３，３’    仕切弁
４      弁座
５      弁座部材
７      ガイド部材
１０      弁体
１１      弁棒
１４      ゴム板部材
【図１】
0003738069.tif 000002
【図２】
0003738069.tif 000003
【図３】
0003738069.tif 000004
【図４】
0003738069.tif 000005
【図５】
0003738069.tif 000006